(57)【要約】【課題】  エンジンの燃料消費量を抑制できるエンジン駆動式空気調和装置を提供する。【解決手段】エンジンの駆動力で駆動される圧縮機と室外熱交換器とを備える室外ユニットと、室内熱交換器を備える室内ユニットとを冷媒配管で接続して構成し、室内ユニットで検出される空調負荷に応じて能力可変に空調運転を行うエンジン駆動式空気調和装置において、前記エンジン運転中の燃料消費量を取得する取得手段と、この取得された燃料消費量と予め規定された規定消費量とを比較し、前記燃料消費量が当該規定消費量を上回ることがないように、前記エンジンの回転数を制御する制御手段とを備える。【選択図】      図５
2005337520.tif 000002
【特許請求の範囲】
【請求項１】
エンジンの駆動力で駆動される圧縮機と室外熱交換器とを備える室外ユニットと、室内熱交換器を備える室内ユニットとを冷媒配管で接続して構成し、室内ユニットで検出される空調負荷に応じて能力可変に空調運転を行うエンジン駆動式空気調和装置において、
前記エンジン運転中の燃料消費量を取得する取得手段と、
この取得された燃料消費量と予め規定された規定消費量とを比較し、前記燃料消費量が当該規定消費量を上回ることがないように、前記エンジンの回転数を制御する制御手段とを備えたことを特徴とするエンジン駆動式空気調和装置。
【請求項２】
前記取得手段が、エンジン回転数、燃料調整弁開度及びスロットル開度のすべて、或いはその一部を入力として、前記燃料消費量を出力することを特徴とする請求項１記載のエンジン駆動式空気調和装置。
【請求項３】
前記取得手段が、予めエンジン型式、燃料ガス種毎に、エンジン回転数及びトルクを変化させて燃料調整弁開度、スロットル開度、燃料消費量を計測して得た実験データをマップ化して記憶する記憶手段を備えたことを特徴とする請求項１又は２に記載のエンジン駆動式空気調和装置。
【請求項４】
前記取得手段が、ニューラルネットワークを利用して、予めエンジン型式、燃料ガス種毎に、エンジン回転数及びトルクを変化させて燃料調整弁開度、スロットル開度、燃料消費量を計測して得た実験データを学習することにより、入出力関係を数式化する手段を備えたことを特徴とする請求項１又は２に記載のエンジン駆動式空気調和装置。
【請求項５】
前記規定消費量を変更可能としたことを特徴とする請求項１乃至請求項４のいずれかに記載のエンジン駆動式空気調和装置。
【請求項６】
前記エンジン駆動式空気調和装置で循環させる冷媒は、代替冷媒Ｒ４１０Ａであることを特徴とする請求項１乃至請求項５のいずれかに記載のエンジン駆動式空気調和装置。
【発明の詳細な説明】
【技術分野】
【０００１】
本発明は、各室内ユニットの空調負荷に応じて能力可変に空調運転を行うエンジン駆動式空気調和装置に関するものである。
【背景技術】
【０００２】
これまでのエンジン駆動式空気調和装置は、エンジンの駆動力で駆動される圧縮機と室外熱交換器とを備える室外ユニットと、室内熱交換器を備える室内ユニットとを冷媒配管で接続して構成されており、各室内ユニットの、例えば、室内温度センサで検出される室内温度と、各室内ユニットの操作部に設定された設定温度との温度差に基いて、夫々の室内ユニットの空調負荷が算出され、これら空調負荷を前記室外ユニットで集計して合計の空調負荷を算出し、この合計の空調負荷に応じて前記エンジンの運転を行って空調運転を行わせていた（例えば、特許文献１参照）。
【特許文献１】特開平０９−２３６２９９号公報
【発明の開示】
【発明が解決しようとする課題】
【０００３】
しかし、これまでのエンジン駆動式空気調和装置では、エンジンの燃料消費量とは無関係に、上記空調負荷に基づいてのみ空調運転を行っている。従って、従来の装置では、省エネ運転を機能的に行うことができないという問題があった。ちなみに、ユーザが省エネ運転を実行したい場合、従来では、リモコンにより室内ユニットの運転を一時的に停止させるか、或いは、室内ユニットの設定温度を、冷房運転時には上げる、暖房運転時には下げる等の操作を実行しなければならなかった。
【０００４】
そこで、本発明の目的は、上述した従来の技術が有する課題を解消し、エンジンの燃料消費量を抑制できるエンジン駆動式空気調和装置を提供する。
【課題を解決するための手段】
【０００５】
上記目的を達成するため、本発明は、エンジンの駆動力で駆動される圧縮機と室外熱交換器とを備える室外ユニットと、室内熱交換器を備える室内ユニットとを冷媒配管で接続して構成し、室内ユニットで検出される空調負荷に応じて能力可変に空調運転を行うエンジン駆動式空気調和装置において、前記エンジン運転中の燃料消費量を取得する取得手段と、この取得された燃料消費量と予め規定された規定消費量とを比較し、前記燃料消費量が当該規定消費量を上回ることがないように、前記エンジンの回転数を制御する制御手段とを備えたことを特徴とするものである。
【０００６】
この場合において、前記取得手段が、エンジン回転数、燃料調整弁開度及びスロットル開度のすべて、或いはその一部を入力として、前記燃料消費量を出力してもよい。また、前記取得手段が、予めエンジン型式、燃料ガス種毎に、エンジン回転数及びトルクを変化させて燃料調整弁開度、スロットル開度、燃料消費量を計測して得た実験データをマップとして記憶する記憶手段を備えていてもよい。前記取得手段が、ニューラルネットワークを利用して、予めエンジン型式、燃料ガス種毎に、エンジン回転数及びトルクを変化させて燃料調整弁開度、スロットル開度、燃料消費量を計測して得た実験データを学習することにより、入出力関係を数式化する手段を備えていてもよい。
【０００７】
前記規定消費量を変更可能としてもよい。また、前記エンジン駆動式空気調和装置で循環させる冷媒は、代替冷媒Ｒ４１０Ａであってもよい。
【発明の効果】
【０００８】
本発明では、エンジン運転中の燃料消費量を取得する取得手段と、この取得された燃料消費量と予め規定された規定消費量とを比較し、燃料消費量が規定消費量を上回ることがないように、エンジンの回転数を制御する制御手段とを備えたから、エンジンの燃料消費量を抑制することができる。
【発明を実施するための最良の形態】
【０００９】
以下、本発明の一実施形態を図面に基づき説明する。
【００１０】
図１は、本実施形態にかかるエンジン駆動式空気調和装置１００を示す構成図である。このエンジン駆動式空気調和装置１００は、１台の室外ユニット１と複数台（例えば２台）の室内ユニット２ａ、２ｂとを、ガス管３ａ及び液管３ｂからなるユニット間配管３で接続して構成される。また、エンジン駆動式空気調和装置１００は、当該空気調和装置１００の運転制御を行う制御装置４と、この制御装置４の運転指示等の操作を行う操作部５とを備えている。この操作部５は、室内ユニット２ａ、２ｂの運転／停止等を行う、いわゆるリモート制御装置、或いは、これら室内ユニット２ａ、２ｂおよび室外ユニット１の各種設定や運転状態の確認が行える遠隔操作装置であってもよい。なお、本実施形態では、エンジン駆動式空気調和装置１００には、単位体積当りの冷媒能力が高く圧力損失の少ない代替冷媒Ｒ４１０ａを循環させる構成としている。
【００１１】
室外ユニット１は室外に設置され、この室外ユニット１には、燃料ガスなどを燃焼させて駆動力を発生するエンジン１０と、このエンジン１０に図示しない駆動力伝達手段を介して接続され、上記代替冷媒Ｒ４１０ａを圧縮吐出する圧縮機１１と、冷媒の循環方向を反転させる四方弁１２と、冷媒と外気との熱交換を行わせる室外熱交換器１３と、冷媒の減圧を行う室外膨張弁１４と、圧縮機１１に吸込まれる冷媒の気液分離を行うアキュムレータ１５とが冷媒配管で接続されて収納されている。室外熱交換器１３には、この室外熱交換器１３へ向かって送風する室外ファン１６が隣接して配置されている。
【００１２】
室内ユニット２ａ、２ｂには、これら室内ユニット２ａ、２ｂが据え付けられた室内の室内空気と冷媒との熱交換を行う室内熱交換器２０ａ、２０ｂと、各室内ユニット２ａ、２ｂへ流入する冷媒の冷媒量を制御する室内膨張弁２１ａ、２１ｂとが、各々冷媒配管で接続されて収納されている。上記室内熱交換器２０ａ、２０ｂには、これらの室内熱交換器２０ａ、２０ｂへ送風する室内ファン２２ａ、２２ｂがそれぞれ隣接して配置されている。
【００１３】
また、圧縮機１１を駆動するエンジン１０の燃焼室には、エンジン燃料供給装置３１から燃料と空気との混合気が供給される。このエンジン燃料供給装置３１は、燃料供給配管３２に、燃料遮断弁３３、ゼロガバナ３４、燃料調整弁３５及びスロットルバルブ３６が順次配設され、このスロットルバルブ３６は、エンジン１０の上記燃焼室に接続されている。燃料遮断弁３３は、閉鎖型の燃料遮断弁機構を構成し、燃料遮断弁３３が全閉または全開し、燃料ガスの漏れのない遮断と連通とを択一に実施する。エンジン１０には、このエンジン１０の回転数を検出する回転数検出器（不図示）が設けられている。
【００１４】
上記操作部５が操作されると、上述のように制御装置４は、室外ユニット１及び室内ユニット２ａ、２ｂの運転を制御する。具体的には、室外ユニット１におけるエンジン１０、四方弁１２、室外膨張弁１４及び室外ファン１６、並びに室内ユニット２ａ、２ｂにおける室内膨張弁２１ａ、２１ｂ、及び室内ファン２２ａ、２２ｂをそれぞれ制御する。
【００１５】
制御装置４により四方弁１２が切り替えられることにより、当該空気調和装置１００が冷房運転又は暖房運転に設定される。つまり、制御装置４が四方弁１２を冷房側に切り替えたときには、冷媒が破線矢印の如く流れ、室外熱交換器１３が凝縮器に、室内熱交換器２０ａ、２０ｂが蒸発器になって冷房運転状態となり、各室内熱交換器２０ａ、２０ｂが室内を冷房する。また、制御装置４が四方弁１２を暖房側に切り替えたときには、冷媒が実線矢印の如く流れ、室内熱交換器２０ａ、２０ｂが凝縮器に、室外熱交換器１３が蒸発器になって暖房運転状態となり、各室内熱交換器２０ａ、２０ｂが室内を暖房する。
【００１６】
制御装置４は、図２に示すように、エンジン駆動式空気調和装置１００の各種設定や、エンジン１０及び圧縮機１１への運転指示設定等を行う設定部４１と、制御用プログラムおよび制御用データを予め記憶しているＥＥＰＲＯＭ４２と、このＥＥＰＲＯＭ４２内の制御用プログラム等に基づいてエンジン駆動式空気調和装置１００の全体を制御するＣＰＵ４３と、各種データを一時的に格納するＲＡＭ４４と、操作部５との通信を行う送受信部４５とを備える。
【００１７】
本実施形態では、エンジン１０の運転中に、このエンジン１０の燃料消費量を取得し、この取得した燃料消費量と予め規定された規定消費量とを比較し、燃料消費量が当該規定消費量を上回ることがないように、エンジン１０のエンジン回転数を制御する制御手段を備えており、制御装置４が上記制御手段として機能する。ここで、規定消費量は省エネルギー運転時の燃料消費量の制限値を定めたものであり、この規定消費量は上記ＥＥＰＲＯＭ４２に記憶され、適宜変更が可能な構成となっている。
【００１８】
図３は、空調負荷とエンジン回転数との関係及び空調負荷と燃料消費量との関係を示した図である。制御装置４は、図３に示すように、空調負荷が小さい場合（図中Ｘで示す領域）には、空調負荷に応じてエンジン回転数を制御している（通常運転制御）。この通常運転制御では、制御装置４は、空調負荷が増加すると、これに対応してエンジン回転数を上昇させるように制御しており、エンジン回転数が上昇する結果として燃料消費量も上昇している。この運転は、一般的な通常運転である。
【００１９】
一方、空調負荷が所定の閾値Ｍを超えて増加した場合（図中Ｙで示す領域）には、制御装置４は、上述のように、燃料消費量が規定消費量を上回ることがないように、エンジン回転数を制御する（省エネルギー運転制御）。
【００２０】
燃料消費量は、エンジン１０の運転中、リアルタイムで取得される。ここで、制御装置４（取得手段）は、エンジン回転数（ｒｐｍ）、燃料調整弁開度（ｓｔｅｐ）及びスロットル開度（ｓｔｅｐ）のすべて、或いはその一部を入力として、燃料消費量（ｋｗ）を出力することにより、この燃料消費量を取得している。具体的には、予めエンジン型式、燃料ガス種毎に、エンジン回転数及びトルク（ｋｇ・ｍ）を変化させて燃料調整弁開度、スロットル開度、燃料消費量を計測して得た実験データをマップ化して記憶しておき、このマップにエンジン回転数、燃料調整弁開度及びスロットル開度のすべて、或いはその一部を入力し、補完計算をすることによって当該燃料消費量を取得する。
【００２１】
上記マップは以下のように作成する。例えば、エンジン１０に負荷として１、３、５、７、９、１１、１３（ｋｇ・ｍ）のトルクを加え、各々のトルクについて１０００（ｒｐｍ）でエンジン１０が回転するように燃料調整弁開度、スロットル開度を調整し、その状態における燃料調整弁開度、スロットル開度及び燃料消費量（ｋｗ）を計測する。同様にエンジン回転数１２００（ｒｐｍ）、１４００（ｒｐｍ）・・・２０００（ｒｐｍ）についても、各トルクでの燃料調整弁開度、スロットル開度及び燃料消費量を計測し、これらの実験データをテーブルデータとしてマップ化する。このマップは、上記ＥＥＰＲＯＭ４２（記憶手段）に記憶されている。
【００２２】
上記省エネルギー運転を選択するか否かは、操作部５の操作によって行なわれる。操作部５は、図４に示すように、エンジン駆動式空気調和装置１００の運転状態を表示する表示部５１と、このエンジン駆動式空気調和装置１００の運転／停止を指示する運転／停止スイッチ５２と、冷房や暖房等の運転モードの切り替えを指示する運転切り替えスイッチ５３と、各室内ユニット２ａ、２ｂの目標とする室内温度（以下、設定温度という。）を設定する温度設定スイッチ５４と、省エネルギー運転制御の実行を指示する省エネスイッチ５５とを備える。この省エネスイッチ５５は押しボタン式スイッチであり、当該省エネスイッチ５５が１度押されると、表示部５１に省エネルギーマークが点灯表示されて、省エネルギー運転制御が実行される。また、上記省エネスイッチ５５が再度押されると、省エネルギーマークが消灯されて、省エネルギー運転制御が解除されて通常運転制御が実行される。なお、省エネスイッチ５５は、エンジン１０および圧縮機１１への設定を行うスイッチであるため、上述の制御装置４の設定部４１へ設けることも可能である。
【００２３】
次に、エンジン駆動式空気調和装置１００の省エネルギー運転制御について説明する。
【００２４】
図５は、省エネルギー運転の動作を示すフローチャートである。
【００２５】
まず、制御装置４は、省エネルギー運転制御が実行するように設定がされているか否かについて判別する（ステップＳ１）。具体的には、制御装置４は、操作部５に設けられた省エネスイッチ５５が操作されているか否かを判別する。
【００２６】
ステップＳ１の判別において、省エネルギー運転が設定されていない場合（ステップＳ１：Ｎｏ）には、上記した通常運転によって、空調負荷に応じたエンジン１０の回転数制御を行なう（ステップＳ１１）。また、ステップＳ１の判別において、省エネルギー運転が設定されている場合（ステップＳ１：Ｙｅｓ）には、制御装置４は、現在のエンジンの運転状況におけるエンジン回転数、燃料調整弁開度及びスロットル開度を検出（ステップＳ２）し、これらの情報のすべて、或いはその一部を入力して燃料消費量を出力する（ステップＳ３）。
【００２７】
具体的には、制御装置４は、エンジン回転数を上述した回転数検出器を用いて検出するとともに、空調負荷に対して設定された燃料調整弁３５及びスロットルバルブ３６の開度のｓｔｅｐ数を検出する。そして、これらエンジン回転数、燃料調整弁開度及びスロットル開度の情報を、制御装置４のＥＥＰＲＯＭ４２に記憶させたマップに入力し、補完計算をすることによって、現時点での燃料消費量をリアルタイムに取得する。なお、一般にエンジン回転数、燃料調整弁開度及びスロットル開度には、相関関係があるため、これらの一部を上記マップに入力することによっても、燃料消費量を取得することはできるが、これらすべての情報を入力することによって、より精度の高い出力データ（燃料消費量）を得ることができる。
【００２８】
続いて、制御装置４は、この制御装置４のＥＥＰＲＯＭ４２に予め規定された規定消費量Ｆｌｉｍを読み出し（ステップＳ４）、この規定消費量Ｆｌｉｍと上記ステップＳ３で取得された燃料消費量Ｆｃとを比較する。具体的には、この燃料消費量Ｆｃが上記規定消費量Ｆｌｉｍ×０．９５以上であるか否かを判別する（ステップＳ５）。
【００２９】
ステップＳ５の判別において、Ｆｃ≧Ｆｌｉｍ×０．９５である場合（ステップＳ５：Ｙｅｓ）には、制御装置４はエンジン回転数の下降させる（ステップＳ６）。この場合、燃料消費量Ｆｃは規定消費量Ｆｌｉｍにかなり接近した状態にあるため、このままでは燃料消費量Ｆｃが規定消費量を上回る（オーバーシュートする）可能性が考えられる。そのため、制御装置４はエンジン１０のエンジン回転数を下げる制御を行うことにより、燃料消費量Ｆｃの増加を抑え、当該燃料消費量Ｆｃが規定消費量Ｆｌｉｍを上回ることを防止している。例えば、制御装置４は、１回につき５０（ｒｐｍ）ずつ、エンジン回転数を下降させる制御を行う。
【００３０】
上記ステップＳ６において、エンジン１０の回転数を下降させた場合、エンジン１０は、室内ユニット２ａ、２ｂが要求する空調負荷に対応するエンジン回転数よりも低いエンジン回転数で運転されるため、この際、エンジン１０が発生するトルクに対してエンジン負荷が大きくなり、エンジン回転数とエンジン負荷とのバランスが崩れた状態となっている。
【００３１】
そのため、制御装置４は、エンジン回転数とエンジン負荷とのバランスを修正するために、蒸発器（冷房時では室内熱交換器２０ａ，２０ｂ、暖房時では室外熱交換器１３）での出入口温度差の設定を上げる（ステップＳ７）。具体的には、この蒸発器の出入口温度差は、通常、空調負荷に応じて、例えば１〜１４℃の範囲に設定されるところ、当該出入口温度差が、例えば７〜１４℃の範囲となるように、当該出入口温度差の設定を上げる。
【００３２】
このように、当該出入口温度差の設定を上げることにより、結果的に蒸発器側の膨張弁（冷房時では室内膨張弁２１ａ，２１ｂ、暖房時では室外膨張弁１４）の開度が小さくなり、冷媒循環量を減じることによりエンジン１０の負荷を下げることができ、エンジン回転数とエンジン負荷とのバランスを修正することができる。
【００３３】
一方、ステップＳ５の判別において、Ｆｃ≧Ｆｌｉｍ×０．９５でない場合（ステップＳ５：Ｎｏ）、すなわち、Ｆｃ＜Ｆｌｉｍ×０．９５となる場合には、制御装置４は、続いて上記燃料消費量Ｆｃが上記規定消費量Ｆｌｉｍ×０．９より小さいか否かを判別する（ステップＳ８）。
【００３４】
ステップＳ８の判別において、Ｆｃ＜Ｆｌｉｍ×０．９でない場合（ステップＳ８：Ｎｏ）、すなわち、Ｆｌｉｍ×０．９≦Ｆｃ＜Ｆｌｉｍ×０．９５である場合には、制御装置４は、エンジン回転数の上昇を禁止する（ステップＳ９）。制御装置４は、燃料消費量Ｆｃが上記範囲にある場合には、エンジン回転数の上昇を禁止することにより、燃料消費量Ｆｃがこれ以上増加することを防止し、当該燃料消費量Ｆｃが規定消費量Ｆｌｉｍを上回ることを防止している。この場合、制御装置４はエンジン回転数の下降についてまで禁止するものではないが、通常、制御装置４はエンジン回転数をそのまま維持するように制御する。従って、本実施形態では、制御装置４は、燃料消費量Ｆｃが上記範囲を満たすように、エンジン回転数を制御している。
【００３５】
続いて、制御装置４は、ステップ７における当該蒸発器での出入口温度差の設定をキャンセルする（ステップＳ１０）。具体的には、当該出入口温度差の設定を元の状態（例えば１〜１４℃）に戻す。そして、ステップＳ１〜ステップＳ１１の処理を繰り返し実行する。
【００３６】
一方、ステップＳ８の判別において、Ｆｃ＜Ｆｌｉｍ×０．９である場合（ステップＳ８：Ｙｅｓ）には、制御装置４は、上記通常運転によって、空調負荷に応じたエンジン１０の回転数制御を行ない（ステップＳ１１）、ステップＳ１〜ステップＳ１１の処理を繰り返し実行する。
【００３７】
本実施形態では、エンジン１０が運転中に消費した燃料消費量を取得する取得手段４と、この取得された燃料消費量と予め規定された規定消費量とを比較し、燃料消費量が当該規定消費量を上回ることがないように、エンジン１０の回転数を制御する制御手段４とを備えた構成としたことから、エンジン１０の燃料消費量削減することができ、省エネルギー運転を実現することができる。
【００３８】
また、本実施形態では、予めエンジン型式、燃料ガス種毎に、エンジン回転数及びトルクを変化させて燃料調整弁開度、スロットル開度及び燃料消費量を計測して得た実験データをマップ化して記憶する記憶手段４２を備える構成としているため、これらエンジン回転数、燃料調整弁開度及びスロットル開度を検出して、これらの情報のすべて、或いはその一部を入力することで、燃料消費量を取得することができる。
【００３９】
また、本実施形態では、エンジン駆動式空気調和装置１００の冷媒として、単位体積当りの冷媒能力が高く圧力損失の少ない前記代替冷媒Ｒ４１０ａを使用しているため、さらに、省エネルギーを推進した空調運転を行うことができる。
【００４０】
また、本実施形態では、制御手段４は、規定消費量を超えないように燃料消費量を制御するため、燃料ガス配管設備の設計をする際に、この規定消費量に合致した配管設備を設ければ良く、設備コストを削減することができる。
【００４１】
また、本実施形態では、規定消費量を変更可能としているため、既存の配管設備を利用する場合には、この規定消費量を当該配管設備の最大燃料消費量に設定することにより、当該配管設備の最大燃料消費量に合わせた運転が可能となる。これによれば、配管設備の新設工事が不要となりコスト削減が実現できる。
【００４２】
また、本実施形態では、省エネルギー運転が実行されると、空調負荷に関係なく、燃料消費量が規定消費量を上回らないように、エンジン回転数を制御するため、空調負荷が増加した場合には、室内温度がユーザの要求に応じきれないことも生じる。しかし、操作部５に設けた省エネスイッチ５５を押すことによって、省エネルギー運転制御は解除され、通常運転制御が実行されるため、ユーザが要求する室内温度とすることも担保されている。
【００４３】
なお、燃料消費量の最大値を制御する手法として、簡易的にエンジン回転数の上限を規定する方法も考えられる。しかし、所定の回転数における燃料消費量は、エンジン負荷（つまり空調負荷）の大きさによって変化するものであるため、上記のようにエンジン回転数の上限を規定するだけでは、燃料消費量の最大値を精度良く制御することが困難となる。そこで、本実施形態に示したように、所定の入力情報から燃料消費量を出力し、この燃料消費量に応じてエンジン回転数を制御する方法の方が、当該燃料消費量の最大値を精度良く制御することができる。
【００４４】
以上、本発明の一実施形態について説明したが、本発明は、これに限定されるものではない。例えば、上記実施形態で示した各設定値や配管構成はそれに限定されるものでは無く、本発明の趣旨を逸脱しない範囲で適宜変更可能である。
【００４５】
また、本実施形態では、取得手段として、予めエンジン型式、燃料ガス種毎に、エンジン回転数及びトルクを変化させて燃料調整弁開度、スロットル開度、燃料消費量を計測して得た実験データをマップ化して記憶する記憶手段４２を備える構成としていたが、人間の脳の構造をまねて作った情報処理機構であるニューラルネットワークを利用して、予めエンジン型式、燃料ガス種毎に、エンジン回転数及びトルクを変化させて燃料調整弁開度、スロットル開度、燃料消費量を計測して得た実験データを学習することにより、入出力関係を数式化する手段を備える構成としても良い。これによれば、ＥＥＰＲＯＭ４２の使用量を抑えることができる。
【００４６】
また、本実施形態では、エンジン回転数、燃料調整弁開度及びスロットル開度の情報を、制御装置４のＥＥＰＲＯＭ４２に記憶させたマップに入力し、補完計算をすることによって燃料消費量を出力する構成としているが、エンジン回転数、燃料調整弁開度及びスロットル開度の入力に対して、燃料流量（ｍ3／ｈ）を出力とするマップを作成してＥＥＰＲＯＭ４２に記憶させておき、当該燃料流量を出力値として用いる構成としても良い。なお、この場合には、当該燃料流量の比較対象として規定流量（ｍ3／ｈ）が予め規定されることになる。
【図面の簡単な説明】
【００４７】
【図１】本実施形態にかかるエンジン駆動式空気調和装置を示すである。
【図２】制御装置の構成を示すブロック図である。
【図３】省エネルギー運転における空調負荷と燃料消費量／エンジン回転数との関係を示した図である。
【図４】操作部の正面図である。
【図５】省エネルギー運転のフローチャートである。
【符号の説明】
【００４８】
１  室外ユニット
２ａ、２ｂ  室内ユニット
３  ユニット間配管
４  制御装置（取得手段、制御手段、記憶手段、数式化手段）
５  操作部
１０  エンジン
１１  圧縮機
１３  室外熱交換器
２０ａ、２０ｂ  室内熱交換器
４２  ＥＥＰＲＯＭ（記憶手段）
１００  エンジン駆動式空気調和装置
【図１】
2005337520.tif 000003
【図２】
2005337520.tif 000004
【図３】
2005337520.tif 000005
【図４】
2005337520.tif 000006
【図５】
2005337520.tif 000007